(57)【要約】【課題】インスリン分泌不全・非肥満型タイプである、新規の自然発症２型糖尿病モデル動物を提供する。【解決手段】受託番号（ＮＩＴＥ  Ｐ−０２３７７）であるマウス。【選択図】なし【特許請求の範囲】
【請求項１】
受託番号（ＮＩＴＥ  Ｐ−０２３７７）であるマウス。
【請求項２】
自然発症糖尿病モデル動物である、請求項１に記載のマウス。
【請求項３】
インスリン分泌不全である、請求項１又は２に記載のマウス。
【請求項４】
非肥満型である、請求項１〜３のいずれか一項に記載のマウス。
【発明の詳細な説明】
【技術分野】
【０００１】
本発明は、新規インスリン分泌不全マウスに関する。
【背景技術】
【０００２】
糖尿病は１型糖尿病と２型糖尿病に大別される。１型糖尿病は膵島のβ細胞の減少によるインスリン欠乏が主因である。一方、２型糖尿病はインスリンの分泌の減少やインスリン感受性の低下に起因する。ヒト糖尿病の大部分が２型糖尿病であり、西欧人では肥満型で、インスリン分泌能力は高いが末梢組織でのインスリン抵抗性が強い。一方、日本人は非肥満型で、末梢組織でのインスリン抵抗性は軽度であるが、インスリン分泌能が低い特徴がある。自然発症糖尿病モデル動物としては、約３０種が知られている（例えば、非特許文献１〜３を参照。）。
【先行技術文献】
【非特許文献】
【０００３】
【非特許文献１】Srinivasan K. and Ramarao P., Animal models in type 2 diabetes research: an overview, Indian J. Med. Res., 125 (3), 451-472, 2007.
【非特許文献２】King A. J., The use of animal models in diabetes research, Br. J. Pharmacol., 166 (3), 877-894, 2012.
【非特許文献３】Chatzigeorgiou A., Halapas A., Kalafatakis K., Kamper E., The use of animal models in the study of diabetes mellitus, In Vivo, 23 (2), 245-258, 2009.
【発明の概要】
【発明が解決しようとする課題】
【０００４】
しかしながら、従来知られている糖尿病モデル動物のうち、２型糖尿病自然発症モデル動物は、その多くがインスリン抵抗性・肥満型タイプであり、日本人に多い、インスリン分泌不全・非肥満型タイプは少ない。そこで、本発明は、インスリン分泌不全・非肥満型タイプである、新規の自然発症２型糖尿病モデル動物を提供することを目的とする。
【課題を解決するための手段】
【０００５】
本発明は、以下の態様を含む。
［１］受託番号（ＮＩＴＥ  Ｐ−０２３７７）であるマウス。
［２］自然発症糖尿病モデル動物である、［１］に記載のマウス。
［３］インスリン分泌不全である、［１］又は［２］に記載のマウス。
［４］非肥満型である、［１］〜［３］のいずれかに記載のマウス。
【発明の効果】
【０００６】
本発明により、インスリン分泌不全・非肥満型タイプである、新規の自然発症２型糖尿病モデル動物を提供することができる。本マウスは、糖尿病の病態進展機構の解明、予防・治療薬の開発、新規バイオマーカーの開発等に有用である。
【図面の簡単な説明】
【０００７】
【図１】（ａ）及び（ｂ）は、実験例２における糖尿病の発症率の推移を示すグラフである。（ｃ）は、実験例２における生存率の推移を示すグラフである。
【図２】（ａ）及び（ｂ）は、実験例３におけるヘマトキシリン・エオシン染色の結果を示す顕微鏡写真である。（ｃ）は、実験例３における免疫染色の結果を示す顕微鏡写真である。
【図３】（ａ）は、実験例４における血中グルコース濃度の経時変化を示すグラフである。（ｂ）は、実験例４における血中インスリン濃度の経時変化を示すグラフである。
【図４】実験例５における血中グルコース濃度の経時変化を示すグラフである。
【図５】実験例６における血中インスリン濃度の測定結果を示すグラフである。
【発明を実施するための形態】
【０００８】
１実施形態において、本発明は、受託番号（ＮＩＴＥ  Ｐ−０２３７７）であるマウス（以下、「ｉｈｓ（ｉｎｓｕｌｉｎ  ｈｙｐｏｓｅｃｒｅｔｉｏｎ）マウス」という場合がある。）を提供する。本実施形態のマウスは、受託番号ＮＩＴＥ  Ｐ−０２３７７である受精卵を、定法にしたがって仮親に移植して産仔を作出することにより得ることができる。
【０００９】
実施例において後述するように、発明者らは、本実施形態のマウスを見出した。このマウスは、雄のみで糖尿病を発症し、１２週齢で３０％、４２週齢で約９０％の個体が糖尿病を発症した。したがって、本実施形態のマウスは自然発症糖尿病モデル動物である。
【００１０】
また、実施例において後述するように、本実施形態のマウスを解析した結果、膵島の形態的異常及びリンパ球浸潤は認められないことが明らかとなった。また、本実施形態のマウスの膵島におけるインスリン陽性細胞数は正常であった。また、血中のインスリン分泌が顕著に低いことが明らかとなった。更に、本実施形態のマウスにはインスリン抵抗性が認められないことが明らかとなった。したがって、本実施形態のマウスはインスリン分泌不全型の糖尿病モデル動物である。
【００１１】
また、実施例において後述するように、本実施形態のマウスは、対照マウスと比較して体重変化に差が認められず、非肥満型であることが明らかとなった。したがって、本実施形態のマウスは非肥満型の糖尿病モデル動物である。
【００１２】
また、実施例において後述するように、本実施形態のマウスには、既知の糖尿病関連遺伝子の変異が認められなかった。したがって、本実施形態のマウスは新規の糖尿病モデル動物である。
【００１３】
以上のことから、本実施形態のマウスは、日本人に多い、インスリン分泌不全・非肥満型タイプの自然発症２型糖尿病モデル動物であるといえる。また、インスリン分泌不全・非肥満を特徴とする家族性若年糖尿病（ｍａｔｕｒｉｔｙ−ｏｎｓｅｔ  ｄｉａｂｅｔｅｓ  ｏｆ  ｔｈｅ  ｙｏｕｎｇ：ＭＯＤＹ）のモデルであるということもできる。本実施形態のマウスを解析することにより、インスリン分泌不全・非肥満型タイプの２型糖尿病について、糖尿病の病態進展機構の解明、予防・治療薬の開発、新規バイオマーカーの開発等を行うことができる。
【実施例】
【００１４】
次に実験例を示して本発明をさらに詳細に説明するが、本発明は以下の実験例に限定されるものではない。
【００１５】
［実験例１］
（コンジェニックマウスの作製）
発明者らは、慢性腎症の研究の一環として、慢性腎症モデルである、ＩＣＲ−ｄｅｒｉｖｅｄ  ｇｌｏｍｅｒｕｌｏｎｅｐｈｒｉｔｉｓ（ＩＣＧＮ）マウスの原因遺伝子であるＴｎｓ２を、Ｃ５７ＢＬ／６マウスの野生型Ｔｎｓ２遺伝子に置き換えたコンジェニックマウスを作製した。その結果、偶然にも、このマウスが多飲多尿等の糖尿病様症状を呈することを見出した。そこで、このマウスを、ｉｈｓ（ｉｎｓｕｌｉｎ  ｈｙｐｏｓｅｃｒｅｔｉｏｎ）マウスと命名し、更に検討を行った。
【００１６】
樹立したｉｈｓマウスの受精卵を、独立行政法人製品評価技術基盤機構（千葉県木更津市かずさ鎌足２−５−８）に寄託した（受託日：平成２８年１１月１１日、受託番号：ＮＩＴＥ  Ｐ−０２３７７、微生物の識別の表示「ｉｈｓマウス胚」）。
【００１７】
［実験例２］
（ｉｈｓマウスの糖尿病の病態の検討）
雄１８頭、雌１６頭のｉｈｓマウスを飼育し、糖尿病の発症を検討した。糖尿病の発症は、血糖値２５０ｍｇ／ｄｌ以上であること、及び尿糖陽性であることをそれぞれ指標とした。
【００１８】
図１（ａ）は、血糖値２５０ｍｇ／ｄｌ以上であることを指標として糖尿病の発症率の推移を検討した結果を示すグラフである。その結果、ｉｈｓマウスは、雄のみで糖尿病を自然発症することが明らかとなった。また、ｉｈｓマウスの雄は、１２週齢で３０％、４２週齢で約９０％の個体が糖尿病を自然発症することが明らかとなった。更に、ｉｈｓマウスはやせ型（非肥満型）であることが観察された。
【００１９】
また、図１（ｂ）は、尿糖が陽性であることを指標として糖尿病の発症率を検討した結果を示すグラフである。その結果、血糖値２５０ｍｇ／ｄｌ以上であることを指標として検討した場合と同様に、ｉｈｓマウスは、雄のみで糖尿病を自然発症することが明らかとなった。また、ｉｈｓマウスの雄は、１２週齢で３０％、４２週齢で約９０％の個体が糖尿病を自然発症することが明らかとなった。
【００２０】
また、雄１０頭、雌１６頭のｉｈｓマウスを飼育し、生存率の推移を検討した。図１（ｃ）は生存率の推移を示すグラフである。その結果、ｉｈｓマウスの雄の生存率は１８週齢で約８０％であり、４８週齢で約６０％であることが明らかとなった。
【００２１】
［実験例３］
（膵臓組織の検討）
４８週齢のｉｈｓマウスの雄の膵臓組織切片をヘマトキシリン・エオシン染色して顕微鏡観察した。また、対照として４８週齢のＣ５７ＢＬ／６マウスの膵臓組織切片を同様に染色して観察した。図２（ａ）及び（ｂ）は、それぞれ対照マウス及びｉｈｓマウスの膵臓組織切片の顕微鏡写真を示す。倍率は１００倍である。その結果、ｉｈｓマウスの膵島には、形態的異常が認められず、また、リンパ球浸潤も認められなかった。
【００２２】
続いて、１３週齢のｉｈｓマウスの雄の膵臓組織切片を免疫染色し、インスリンの存在を確認した。なお、１３週齢のｉｈｓマウスは高血糖を示し、尿糖も陽性であった。図２（ｃ）は免疫染色の結果を示す顕微鏡写真である。倍率は１００倍である。その結果、１３週齢のｉｈｓマウスの雄の膵臓組織切片では、インスリンが正常に発現していることが確認された。また、インスリン陽性細胞数も正常であった。
【００２３】
［実験例４］
（経口糖負荷試験）
１０週齢のｉｈｓマウスの雄に２ｍｇ／ｋｇのブドウ糖を経口投与し、血中グルコース濃度及び血中インスリン濃度を経時的に測定した。対照として、１０週齢のＩＣＲマウスを使用した。
【００２４】
図３（ａ）は血中グルコース濃度の経時変化を示すグラフである。また、図３（ｂ）は、血中インスリン濃度の経時変化を示すグラフである。その結果、ｉｈｓマウスではインスリンが正常に分泌されず、耐糖能異常を示すことが明らかとなった。
【００２５】
［実験例５］
（インスリン負荷試験）
１０週齢のｉｈｓマウスの雄に０．７５ＩＵ／ｋｇのインスリン（ヒューマリン）を腹腔内注射し、血中グルコース濃度を経時的に測定した。対照として、１０週齢のＩＣＲマウスを使用した。
【００２６】
図４は血中グルコース濃度の経時変化を示すグラフである。その結果、１０週齢のｉｈｓマウスにはインスリン抵抗性が認められないことが明らかとなった。
【００２７】
［実験例６］
（血中インスリン濃度の検討）
１年齢のｉｈｓマウスの雄の血中インスリン濃度を測定した。インスリン濃度の測定は随時（食餌を自由摂取させた条件下）及び絶食時について行った。また、比較のために、１年齢のＣ５７ＢＬ／６マウス及びＩＣＲマウスを使用して同様の検討を行なった。
【００２８】
図５は、血中インスリン濃度の測定結果を示すグラフである。その結果、ｉｈｓマウスは、随時においても絶食時においても血中のインスリン濃度が顕著に低いことが明らかとなった。
【００２９】
［実験例７］
（糖尿病関連遺伝子の変異の解析）
ｉｈｓマウスにおける既知の糖尿病関連遺伝子の変異を解析した。具体的には、Ｉｎｓ１、Ｉｎｓ２、ＧＬＩＳ３、ＧＬＵＴ２、ＧＣＫ、ＫＣＮＪ１１、ＡＢＣＣ８、ＰＤＸ１、ＨＮＦ４Ａ、ＨＮＦ１Ａ、ＨＮＦ１Ｂ、ＮＥＵＲＯＤ１、ＰＡＸ４、ＷＦＳ１、ＧＬＰ１Ｒ、ＧＩＰＲ、Ｅｐａｃ、Ｅｐａｃ２、ＩＮＳＲ、ＩＲＳ１及びＩＲＳ２遺伝子の塩基配列をシークエンスし、変異の存在の有無を検討した。その結果、ｉｈｓマウスは、これらの遺伝子に変異を有しないことが明らかとなった。
【産業上の利用可能性】
【００３０】
本発明により、インスリン分泌不全・非肥満型タイプである、新規の自然発症２型糖尿病モデル動物を提供することができる。本マウスは、糖尿病の病態進展機構の解明、予防・治療薬の開発、新規バイオマーカーの開発等に有用である。
【受託番号】
【００３１】
ＮＩＴＥ  Ｐ−０２３７７
【図１】
2018088848.tif 000002
【図２】
2018088848.tif 000003
【図３】
2018088848.tif 000004
【図４】
2018088848.tif 000005
【図５】
2018088848.tif 000006